(57)【特許請求の範囲】
【請求項１】
浴室暖房乾燥機本体を浴室の天井部に設置し、浴室暖房乾燥機本体の下面を覆うようにして天井の下面にカバーを配置される浴室暖房乾燥機において、
前記カバーは温風を吹き出すための吹き出し口を備え、
前記浴室暖房乾燥機本体は空気を加熱するための加熱器と、加熱器で加熱された空気を吹き出すための送風機と、送風機から前記カバーの吹き出し口へ温風を導くための送風路とを備え、
前記送風路又は前記吹き出し口が伸縮自在に構成され、弾性体によって対向する前記吹き出し口又は前記送風路に接触させられていることを特徴とする浴室暖房乾燥機。
【請求項２】
前記送風路は、前記浴室暖房乾燥機本体のケーシングに対して静止した送風路本体と、該送風路本体に対してスライド自在に取り付けられた送風路摺動部とから構成されていることを特徴とする、請求項１に記載の浴室暖房乾燥機。
【請求項３】
前記送風路の内部に、前記吹き出し口から吹き出される温風の送風方向を可変にするためのルーバー板を備えていることを特徴とする、請求項１に記載の浴室暖房乾燥機。
【請求項４】
前記ルーバー板を動かすためのアクチュエータを備えていることを特徴とする、請求項３に記載の浴室暖房乾燥機。
【請求項５】
前記送風路の内部に、前記吹き出し口から吹き出される温風を拡散させるためのルーバー板を備えていることを特徴とする、請求項１に記載の浴室暖房乾燥機。
【請求項６】
前記浴室暖房乾燥機本体と前記カバーに、カバーを浴室暖房乾燥機本体に仮保持させるための手段を設けたことを特徴とする、請求項１に記載の浴室暖房乾燥機。
【請求項７】
前記浴室暖房乾燥機本体を無線遠隔操作するための受信器を前記浴室暖房乾燥機本体に設けていることを特徴とする、請求項１に記載の浴室暖房乾燥機。
【請求項８】
前記浴室暖房乾燥機本体内に換気装置を設け、該換気装置の設けられている位置と対向しないようにして前記フロントカバーに換気用の吸気口を設けたことを特徴とする、請求項１に記載の浴室暖房乾燥機。
【発明の詳細な説明】
【０００１】
【発明の属する技術分野】
本発明は、浴室暖房乾燥機に関する。特に、浴室内を暖房させ、また浴室内に吊り下げられた洗濯物等を乾燥させるための天井取付型の浴室暖房乾燥機に関する。
【０００２】
【従来の技術】
温風を吹き出すことによって浴室内を暖房したり、浴室内に吊り下げられた洗濯物等を乾燥させるための浴室暖房乾燥機が従来より使用されている。このような浴室暖房乾燥機には、壁掛け型のものと天井取付型のものとがある。
【０００３】
このうち天井取付型の浴室暖房乾燥機は、浴室暖房乾燥機本体を浴室の天井裏に設置し、浴室暖房乾燥機本体の下面を覆うようにして天井の下面にフロントカバー（化粧カバー）を配置されるものであって、浴室暖房乾燥機本体を天井裏に隠すことができるので、浴室内をすっきりとさせることができる。
【０００４】
このような天井取付型の浴室暖房乾燥機を施工する方法には、浴室ユニットの天井パネルを施工するよりも前に浴室暖房乾燥機本体を天井部分に設置しておく本体先付け方式と、天井パネルの施工後に浴室暖房乾燥機本体を天井部分に設置する本体後付け方式とがある。図１は本体先付け方式で施工された浴室暖房乾燥機１の設置状態を示す概略側面図である。この方式では、天井パネル２の施工前に浴室暖房乾燥機本体３を天井裏空間４に持ち上げ、天井裏空間４の吊りボルト５によって浴室暖房乾燥機本体３を吊り下げておく。この後、浴室の天井に天井パネル２を施工し、浴室暖房乾燥機本体３の下面に合わせて天井パネル２を開口すると共に天井パネル２の下面にフロントカバー６を取り付けて天井パネル２の開口７を覆っている。
【０００５】
また、図２は、このようにして本体先付け方式で施工された浴室暖房乾燥機１の断面を表している。符号８で示すものは、内部を循環する温水と空気とを熱交換させることにより、通過する空気を加熱するための熱交換器である。この浴室暖房乾燥機１にあっては、ファン９をモータ駆動すると、ファン９によってフロントカバー６の吸い込み口１０から吸い込まれた浴室内の空気は、熱交換器８を通過することによって加熱され、ファンケーシングを兼ねた送風路１１に導かれてフロントカバー６の吹き出し口１２から温風として吐出される。また、先付け方式の場合には、天井パネル２の開口７の縁と浴室暖房乾燥機本体３との間の隙間による風損を防止するため、浴室暖房乾燥機本体３の下面外周に設けられたフランジ１３を天井パネル２の上面に当てている。
【０００６】
図３は本体後付け方式で施工された浴室暖房乾燥機１の設置状態を示す概略側面図である。この方式では、浴室の天井パネル２を開口して該開口７から天井裏空間４へ浴室暖房乾燥機本体３を持ち上げ、吊りボルト５によって浴室暖房乾燥機本体３を吊り下げた後、天井パネル２の下面にフロントカバー６を取り付けて天井パネル２の開口７を覆っている。
【０００７】
また、図４は本体後付け方式で施工された浴室暖房乾燥機１の断面を表している。この施工方式でも温風を吹き出す構造は同じであるが、後付け方式の場合には、天井パネル２の開口７の縁と浴室暖房乾燥機本体３との間の隙間による風損を防止するため、浴室暖房乾燥機本体３の下面外周に設けられたフランジ１３を天井パネル２の下面に当てている。
【０００８】
【発明が解決しようとする課題】
しかしながら、上記のような浴室暖房乾燥機１にあっては、図３及び図４のように後付け方式で施工された場合には、送風路１１の先端がフロントカバー６に当接してフロントカバー６の吸い込み口１０と吹き出し口１２を分離できるように構成されていたとしても、図１及び図２に示すように先付け方式で施工された場合には、後付け方式で施工される場合と比較して浴室暖房乾燥機本体３の設置位置が高くなるので、送風路１１の先端とフロントカバー６との間に隙間が生じる。このためフロントカバー６の吸い込み口１０と送風路１１の先端とが連通してしまい、送風路１１から吹き出した温風が直ちに熱交換器８側へ吸い込まれたり、吸い込み口１０から吸い込まれた浴室内の空気が直ちに吹き出し口１２から吹き出されたりして送風経路の短絡が起き易く、浴室暖房乾燥機１の運転効率が悪かった。
【０００９】
また、送風経路の長さを本体後付け施工の場合を基準としていると、本体先付け施工した場合、天井パネルの厚みの違いによって送風路１１の先端とフロントカバー６との隙間が変化し、騒音や送風量、温風吐出能力などの浴室暖房乾燥機の性能がばらつくという問題があった。
【００１０】
本発明は、上記の従来例の問題点に鑑みてなされたものであり、その目的とするところは、浴室暖房乾燥機本体の施工方法や天井パネルの厚み等によって送風路とカバーとの間に隙間が生じないようにできる浴室暖房乾燥機を提供することにある。
【００１１】
【発明の開示】
請求項１に記載の浴室暖房乾燥機は、浴室暖房乾燥機本体を浴室の天井部に設置し、浴室暖房乾燥機本体の下面を覆うようにして天井の下面にカバーを配置される浴室暖房乾燥機において、前記カバーは温風を吹き出すための吹き出し口を備え、前記浴室暖房乾燥機本体は空気を加熱するための加熱器と、加熱器で加熱された空気を吹き出すための送風機と、送風機から前記カバーの吹き出し口へ温風を導くための送風路とを備え、前記送風路又は前記吹き出し口が伸縮自在に構成され、弾性体によって対向する前記吹き出し口又は前記送風路に接触させられていることを特徴としている。
【００１２】
請求項１に記載した浴室暖房乾燥機にあっては、送風路又は吹き出し口を伸縮自在に構成しているので、本体先付け方式で施工した場合と本体後付け方式で施工した場合、あるいは天井パネルの板厚が異なる場合でも、送風路と吹き出し口の間に隙間が生じないように施工できる。よって、送風路と吹き出し口との間の隙間から温風が漏れ、吸い込み側へ流れて送風経路の短絡を起こすのを防止できる。また、弾性体の弾性力によって吹き出し口と送風路とが接触させられるので、送風路や吹き出し口の長さを調整する必要がなく、施工を簡単に行える。
【００１３】
ここで、前記送風路又は前記吹き出し口を伸縮自在に構成する方法としては、送風路又は吹き出し口の一部を蛇腹にする方法がある。また、請求項２に記載のように、前記送風路が、前記浴室暖房乾燥機本体のケーシングに対して静止した送風路本体と、該送風路本体に対してスライド自在に取り付けられた送風路摺動部とから構成されるようにしてもよい。蛇腹を用いた場合には、運転停止時に蛇腹の凹凸に結露し易くなる恐れがあるが、スライド式にすればこのような結露を低減できる。
【００１９】
請求項３に記載の浴室暖房乾燥機は、請求項１に記載した浴室暖房乾燥機において、前記送風路の内部に、前記吹き出し口から吹き出される温風の送風方向を可変にするためのルーバー板を備えていることを特徴としている。
【００２０】
請求項３に記載の実施態様によれば、送風方向を可変にするためのルーバー板を備えているので、浴室暖房乾燥機の設置場所などに応じて温風の吹き出し方向をルーバー板によって調整できる。
【００２１】
請求項４に記載の浴室暖房乾燥機は、請求項３に記載した浴室暖房乾燥機における前記ルーバー板を動かすためのアクチュエータを備えていることを特徴としている。
【００２２】
請求項４に記載の実施態様によれば、請求項３のルーバー板をアクチュエータによって動かすことができるので、手でルーバー板を動かす必要がなく、天井に取り付けられた浴室暖房乾燥機のルーバー板の方向を容易に調整することができる。また、ルーバー板が送風路に設けられているので、このアクチュエータも浴室暖房乾燥機本体に設けることができ、カバーを着脱してメンテナンスを行う場合にアクチュエータのコードを外したり、つないだりする必要がなく、メンテナンス性が良好となる。
【００２３】
請求項５に記載の浴室暖房乾燥機は、請求項１に記載した浴室暖房乾燥機のおける前記送風路の内部に、前記吹き出し口から吹き出される温風を拡散させるためのルーバー板を備えていることを特徴としている。
【００２４】
請求項５に記載の実施態様によれば、ルーバー板によって温風を拡散させることができるので、温風の吹き出す範囲を広げることができる。特に、洗濯物の乾燥に用いる場合には、温風を拡散させることによって洗濯物の乾燥むらを低減できる。
【００２５】
請求項６に記載の浴室暖房乾燥機は、請求項１に記載した浴室暖房乾燥機において、前記浴室暖房乾燥機本体と前記カバーに、カバーを浴室暖房乾燥機本体に仮保持させるための手段を設けたことを特徴としている。
【００２６】
請求項６に記載の実施態様によれば、カバーを浴室暖房乾燥機本体に仮保持させることができるので、カバーを取り付ける際にカバーを下から支えている必要がなくなり、カバーを脱落させることなくカバーの取付作業を容易に行えるようになる。
【００２７】
請求項７に記載の浴室暖房乾燥機は、請求項１に記載した浴室暖房乾燥機において、前記浴室暖房乾燥機本体を無線遠隔操作するための受信器を前記浴室暖房乾燥機本体に設けていることを特徴としている。
【００２８】
浴室暖房乾燥機本体に無線遠隔操作するための受信器を設けているので、天井に設置された浴室暖房乾燥機をリモートコントローラ等によって容易に操作できる。また、無線であるから受信器とリモートコントローラとをつなぐコードが必要なく、施工を容易にできる。
【００２９】
請求項８に記載の浴室暖房乾燥機は、請求項１に記載した浴室暖房乾燥機において、前記浴室暖房乾燥機本体内に換気装置を設け、該換気装置の設けられている位置と対向しないようにして前記フロントカバーに換気用の吸気口を設けたことを特徴としている。
【００３０】
請求項８に記載の実施態様によれば、換気装置と換気用の吸気口の位置がずれているので、換気装置の運転音が吸気口から浴室内に届きにくく、換気装置による騒音を低減することができる。
【００３１】
【発明の実施の形態】
（第１の実施形態）
図５は本発明の一実施形態による浴室暖房乾燥機２１の断面図である。この浴室暖房乾燥機２１は、主として浴室暖房乾燥機本体２２及びフロントカバー２３によって構成されており、図６は浴室暖房乾燥機本体２２の下面図、図７はフロントカバー２３の下面から見た図である。浴室暖房乾燥機本体２２にあっては、下面開口したケーシング２４の内部にファン収納部２５と換気装置収納部２６とが設けられており、ケーシング２４の下端部外周にはフランジ２７が周設されている。ファン収納部２５の下部には送風路本体２８が連続的に形成されており、送風路本体２８には送風路摺動部２９がスライド自在に接続され、固定された送風路本体２８とスライド可能な送風路摺動部２９とによって伸縮自在な送風路３０が構成されている。
【００３２】
ファン収納部２５内には、スルーフローファンのような送風機３１が設置されており、ファン収納部２５の吸引側には熱交換器３２が設けられている。空気を加熱するための手段としては電気ヒーターなどでもよいが、この実施形態では、給湯機から供給される温水を循環させ、温水と浴室から吸引した空気とを熱交換させて空気を加熱する熱交換器３２を用いている。
【００３３】
また、換気装置収納部２６内にはシロッコファン３３とモータ３４によって構成された換気装置３５が納められており、換気装置３５の吹き出し方向では、ケーシング２４に排気口３６が開口されている。
【００３４】
図８、図９は上記送風路３０の構造を示す分解斜視図及び断面図であって、送風路本体２８及び送風路摺動部２９はいずれも横に長い矩形状の開口を有しており、送風路本体２８が送風路摺動部２９内に上下にスライド自在に挿入されている。送風路本体２８の両端面からは、水平に支持片３７が延出されており、支持片３７の下面からはガイドピン３８が垂下されている。一方、送風路摺動部２９の両端面にはガイドピン３８を挿通するためのガイド用ボス３９が設けられている。
【００３５】
しかして、ガイドピン３８に圧縮バネ４０を挿通させた後、送風路本体２８を挿入された送風路摺動部２９のガイド用ボス３９にガイドピン３８を通し、ガイドピン３８の先端に設けられた雌ねじ孔３８ａにワッシャ４１を通したビス３８ｂを螺合させてガイド用ボス３９を抜け止めしている。この結果、送風路摺動部２９は圧縮バネ４０の弾性力によって下方へ付勢されているが、送風路摺動部２９が上方へ押されると、圧縮バネ４０を圧縮させることで送風路摺動部２９は上方へ後退する。
【００３６】
また、送風路摺動部２９の下部は上部よりも幅が広くなっており、送風路摺動部２９の下部には風向調整用のルーバー板４２が設けられている。ルーバー板４２は、軸４３によって送風路摺動部２９の開口中央部で軸支されており、図１０に示すように送風路摺動部２９の外部に固定されたパルスステップモータ等を用いたルーバーモータ４４が軸４３に連結されており、ルーバーモータ４４を駆動することによってルーバー板４２の傾き（角度）を変更できるようにしている。
【００３７】
さらに、送風路摺動部２９の内部には、図１１に示すようにルーバー板４２の傾斜角度を規制するためのストッパ２９ａが設けられており、ルーバー板４２が水平になって送風路摺動部２９を塞いだ状態でルーバー板４２がストッパ２９ａに当たるようになっている。
【００３８】
また、送風路摺動部２９の下端面外周に設けた鍔部４５の端には、ワイヤレスタイプのリモートコントローラ（図示せず）によって浴室暖房乾燥機２１のオン、オフや送風量、送風温度、送風方向（ルーバー板４２の角度）などを遠隔操作するためのリモコン受信器４６を取り付けている。
【００３９】
一方、フロントカバー２３には、浴室暖房乾燥機本体２２の送風路３０下端面と対向させて吹き出し口４７が設けられ、リモコン受信器４６と対向させてリモコン受信器露出窓４８が設けられている。この吹き出し口４７は、送風路３０下面開口とほぼ一致するように形成されている。さらに、吹き出し口４７と隣接して一方には空気を吸い込むための吸い込み口４９が、他方には換気用吸気口５０が設けられている。吸い込み口４９はグリル状に形成されており、その上面には着脱自在にフィルタ５１を取り付けられるようになっている。
【００４０】
また、図１２に示すように、送風路摺動部２９の鍔部４５の縁には、フロントカバー２３を引っ掛けて仮保持させるための差込突起５２が複数個突出しており、フロントカバー２３の上面の吹き出し口４７と吸い込み口４９との中間には、差込突起５２に引っ掛けるための横穴状をした係止部５３が複数個設けられている。
【００４１】
図１３は上記のような構造を有する浴室暖房乾燥機２１を浴室の天井に本体先付け方式で施工した状態を示している。この方式で施工する場合には、まず天井パネル５４の施工前に浴室暖房乾燥機本体２２を天井裏空間５５に持ち上げ、ケーシング２４の上面ないし上部に取り付けた吊り金具５６ａを用いて天井裏空間５５の吊りボルト５７に取り付け、吊りボルト５７から浴室暖房乾燥機本体２２を吊り下げる。この後、浴室の天井部分に天井パネル５４を施工し、浴室暖房乾燥機本体２２の下面と天井パネル２３の開口５８を合わせてケーシング２４のフランジ２７を天井パネル５４の上面に接触させる。
【００４２】
ついで、フロントカバー２３の係止部５３を送風路摺動部２９の差込突起５２に引っ掛ける。これによりフロントカバー２３が浴室暖房乾燥機本体２２に仮保持されるので、手を離してもフロントカバー２３が落下することはない。この後、フロントカバー２３に設けられている４隅の通孔６０のうち、まず換気側の通孔６０に通したビス５９をケーシング２４のビス固定部６１に打ち込み、ついで吸い込み側の通孔６０に通したビス５９をケーシング２４のビス固定部（雌ネジ孔）６１に打ち込む。続けて、各ビス５９を締め込むと、フロントカバー２３が天井パネル５４の下面に密着すると共に、送風路摺動部２９は圧縮バネ４０の弾性に抗して上方へ押し上げられ、フロントカバー２３が浴室暖房乾燥機本体２２に固定される。
【００４３】
このようにフロントカバー２３を仮保持するための構造が存在しない場合には、一方の手でフロントカバー２３を支持しながら他方の手でフロントカバー２３をネジ止めしなければならず、浴槽上部という不安定な場所での作業としては困難な作業となる。このため実際には二人で作業することになり、効率が悪い。これに対し、この実施形態の浴室暖房乾燥機２１では、フロントカバー２３を仮保持させた状態でフロントカバー２３の固定を行うことができるので、フロントカバー２３の取り付け施工を一人で効率良く、両手を用いて容易に、かつ安全に行うことができる。
【００４４】
また、送風路摺動部２９は吹き出し口４７の縁に圧接しているので、送風路摺動部２９と吹き出し口４７との間に隙間が生じることがなく、温風が漏れて直ちに吸い込み側へ流れる温風経路の短絡を防止することができる。
【００４５】
また、天井パネル５４の厚みが異なる場合でも、圧縮バネ４０で送風摺動部２９がフロントカバー２９に押しつけられることによって送風摺動部２９が自動的に位置調整されるので、施工をより容易に行えると共に送風路摺動部２９とフロントカバー２９との間に隙間が生じることもない。
【００４６】
さらに、本体後付け方式で施工する場合には、図１４に示すように、天井パネル５４の開口５８を通して浴室暖房乾燥機本体２２を天井裏空間５５へ持ち上げ、ケーシング２４の天面の孔（例えば、ノックアウト部を打ち抜いた孔）に吊りボルト５７を通し、ケーシング２４の下部に取り付けた吊り金具５６ｂに吊りボルト５７の下端部を連結することにより、ケーシング２４のフランジ２７を天井パネル５４の下面に当てた状態で吊りボルト５７から吊り下げる。この場合もフロントカバー２３の取り付け方法は本体先付け施工の場合と同様である。この施工方法では、浴室暖房乾燥機本体２２とフロントカバー２３の距離はかなり短くなるが、この場合でも圧縮バネ４０を縮めて送風路摺動部２９が上方へ上がるので、送風路摺動部２９の位置が自動調整され、送風路摺動部２９の下面と吹き出し口４７の縁との間に隙間が生じて送風経路が短絡することがない。
【００４７】
よって、本発明の浴室暖房乾燥機２１によれば、送風路３０が伸縮できるようになっていて、上記のように施工方法や天井パネル５４の厚みにかかわらず送風路３０とフロントカバー２３の吹き出し口４７の縁との間に隙間が生じないので、施工精度を均一にすることができ、騒音や温風吹き出し量、暖房能力などの性能のばらつきを小さくすることができる。
【００４８】
また、この浴室暖房乾燥機２１では、風向調整のためのルーバー板４２やルーバーモータ４４、リモコン受信器４６を送風路摺動部２９に設けているので、これらをフロントカバー２３に設けた場合と比較すると、フロントカバー２３を脱着する際にルーバーモータ４４やリモコン受信器４６の電装用コードをつないだり、外したりする必要がなく、浴室暖房乾燥機２１の施工性及びメンテナンス性が良好となる。
【００４９】
しかし、リモコン受信器４６を送風路摺動部２９に設けた場合には、浴室暖房乾燥機本体２２とフロントカバー２３との設置距離の違いによってリモコン受信器４６の位置決めが問題になる。ところが、この実施形態では、リモコン受信器４６を送風路摺動部２９に取り付けているので、本体先付け施工にしろ、本体後付け施工にしろ、フロントカバー２３を天井に取り付けると、送風路摺動部２９がフロントカバー２３に当接して位置決めされることにより、同時にリモコン受信器４６もリモコン受信器露出窓４８にぴったりと位置決めされる。よって、リモコン受信器４６の施工も容易になり、リモコン受信器４６部分の外観も良好に仕上がる。
【００５０】
このようにして天井に施工された浴室暖房乾燥機２１によれば、送風機３１を回転させると、送風機３１によってフロントカバー２３の吸い込み口４９から吸い込まれた浴室内の空気は、熱交換器３２で加熱された後、ファン収納部２５及び送風路３０に導かれてフロントカバー２９の吹き出し口４７から温風として吐出される。
【００５１】
この浴室暖房乾燥機２１は、入浴前の浴室暖房として使用することもできるが、図１５に示すように浴室６２に吊した洗濯物６３の乾燥にも用いることができる。すなわち、洗濯物６３を乾燥させる場合には、浴槽６４の上方（通常、浴室暖房乾燥機２１は浴槽６４の上方に設けられる。）に物干しバー６５を設置し、洗濯物６３を浴室暖房乾燥機２１の吹き出し口４７の真下に干して乾燥させる。
【００５２】
しかし、暖房時には洗い場側を暖める必要があるので、洗い場６６へ向けて温風を吹き出す必要があり、洗濯物６３の乾燥時には下方へ向けて温風を吹き出す必要がある。従って、使用目的に応じてルーバー板４２の角度を調整する必要があるが、この浴室暖房乾燥機２１ではリモートコントローラによってルーバーモータ４４を駆動して容易に送風方向（ルーバー板４２の角度）を調整できるようにしている。すなわち、リモートコントローラの運転スイッチをオフにして浴室暖房乾燥機２１を運転停止した場合には、ルーバー板４２は送風路３０内を塞ぐように水平となってストッパ２９ａに当たった位置で停止し、運転オフの時に確実に送風路３０内が閉じられるようにすると共にルーバー板４２の基準角度が補正されるようにしている。また、リモートコントローラで乾燥運転のスイッチを押すと、自動的にルーバー板４２は真下に温風を吹き出すように風向調整される。また、リモートコントローラで暖房運転のスイッチを押すと、自動的にルーバー板４２は吸気側と反対側へ約２０度傾けられて洗い場６６側へ温風が吹き出される。さらに、リモートコントローラの操作によりルーバー板４２の角度を任意に調整できるようにしたり、ルーバー板４２が前後に繰り返し動くようにしてスイング動作させるようにしたりすることもできる。
【００５３】
この浴室暖房乾燥機２１は浴室６２の換気機能も備えており、換気装置３５により浴室６２内の湿気を換気用吸気口５０から吸引し、排気口３６からダクト等を通じて屋外へ排気するようになっている。さらに、この換気装置３５にあっては、換気装置３５の位置と換気用吸気口５０の位置とをずらすことによって浴室６２内における騒音を低減している。具体的に説明すると、図１６（図６のＡ−Ａ線断面図）及び図６に示すように、ケーシング２４内の前部に設けられた換気装置収納部２６内に換気装置３５が納められており、換気装置収納部２６の後ろの空間にはコントローラケース６７が納められている。一方、フロントカバー２３のコントローラケース６７と対向する領域にガラリ状の換気用吸気口５０が開口されており、換気装置収納部２６と対向する領域にはガラリ状の盲穴６８が設けられている。この換気用吸気口５０と盲穴６８とは同一の外観で連続的に形成されており、意匠上は実際の換気用吸気口５０と盲穴６８を合わせたものが換気用吸気口のように見えているが、盲穴６８の部分は吸気口としての機能を持っていない。そして、換気装置３５が運転されると、換気用吸気口５０からケーシング２４内に吸引された空気は、図１６に示すようにケーシング２４内を前方へ流れ、換気装置収納部２６の底面に開口された吸気口６９から換気装置３５に吸引され、排気口３６から外部へ排出される。しかも、換気装置３５が運転されていても、換気装置３５の下面は盲穴６８に塞がれているので、換気装置３５の騒音が直接浴室６２内に漏れることがなく、浴室６２内の騒音を低減することができる。
【００５４】
（第２の実施形態）
図１７は本発明の別な実施形態による浴室暖房乾燥機における送風路３０の伸縮のための機構を示す断面図である。この実施形態では、送風路本体２８の側面に設けられた支持片３７から突出したガイドピン３８に圧縮バネ４０と送風路摺動部２９のガイド用ボス３９を通し、ガイドピン３８下端の頭部に熱かしめ又は弾性的に嵌合させたワッシャや溝に嵌合させたＣリング等の止め具７１によりガイド用ボス３９を抜け止めしている。
【００５５】
しかして、この実施形態でも、ガイド用ボス３９とガイドピン３８の動きによって送風路摺動部２９と送風路本体２８とが互いにスライド自在となっており、圧縮バネ４０によって送風路摺動部２９は下方へ付勢されている。従って、フロントカバー２３が浴室暖房乾燥機本体２２に取り付けられた時、送風路摺動部２９はフロントカバー２３の位置に応じてスライドし、吹き出し口４７に弾接する。
【００５６】
（第３の実施形態）
図１８は本発明のさらに別な実施形態による浴室暖房乾燥機における送風路３０の構造を示す断面図である。この実施形態では、図１８のＢ部を拡大して図１９に示すように、送風路摺動部２９の側面に設けられたガイド用ボス３９にワッシャ一体型ボルト７３を通し、さらにワッシャ一体型ボルト７３に圧縮バネ４０を通し、ワッシャ一体型ボルト７３の先端に設けられたネジ部７４を送風路本体２８の支持片３７に設けられたネジ孔７５に螺合させている。これでガイド用ボス３９はワッシャ一体型ボルト７３のワッシャ部分７６で抜け止めされると共に圧縮バネ４０によって下方へ弾性的に付勢される。
【００５７】
しかして、この実施形態でも、ガイド用ボス３９とワッシャ一体型ボルト７３の動きによって送風路摺動部２９と送風路本体２８とが互いにスライド自在となっており、圧縮バネ４０によって送風路摺動部２９は下方へ付勢されている。従って、フロントカバー２３が浴室暖房乾燥機本体２２に取り付けられた時、送風路摺動部２９はフロントカバー２３の位置に応じてスライドし、吹き出し口４７に弾接する。
【００５８】
また、この実施形態では、ワッシャ一体型ボルト７３を使用しているので、送風路本体２８の構造が簡略となってケーシング２４（送風路本体２８）の成形が容易になり、またメンテナンス時には圧縮バネ４０をワッシャ一体型ボルト７３に通したワッシャ一体型ボルト７３で受けた状態で送風路本体２８の支持片３７に組み付けることができ、送風路３０の組立作業を容易に行える。
【００５９】
（第４の実施形態）
図２０は本発明のさらに別な実施形態による浴室暖房乾燥機８１の構造を示す一部省略した断面図（換気装置等を省略している。）である。この浴室暖房乾燥機８１にあっては、送風路本体２８にスライド自在に結合させた送風路摺動部２９をネジ止めで固定するようにしている。
【００６０】
すなわち、図２１（ａ）（ｂ）に示すように、送風路本体２８の側面から垂下された垂下片８２には長孔８３が穿孔されており、長孔８３に挿通させたネジ８４にスペーサ８５を通して送風路摺動部２９の側面にねじ止めしている。このネジ８４を緩めた状態では、送風路摺動部２９は長孔８３に沿って上下方向に自由に昇降させることができるが、適当な位置でネジ８４を締め付けることにより、任意の高さで送風路摺動部２９を動かないよう固定することができる。
【００６１】
従って、浴室暖房乾燥機本体２２を天井部分に設置した後、ネジ８４を緩め、図２２に示すように天井パネル５４の下面から送風路摺動部２９の下面までの距離ｈが所定寸法（天井パネル５４の下に取り付けられたフロントカバー２３の吹き出し口４７上面と天井パネル５４の下面との距離）に等しくなるように調整しておくことによって送風路摺動部２９と吹き出し口４７との間の隙間を小さくできる。
【００６２】
（変形例）
上記各実施形態は、いずれも下記に説明するような変形例が可能である。まず、フロントカバー２３を浴室暖房乾燥機本体２２に仮保持させるための構造としては、図２３に示すように、フロントカバー２３の上面の吹き出し口４７と吸い込み口４９との中間に逆Ｌ型に屈曲した差込突起５２を複数個設け、送風路摺動部２９の鍔部４５の縁に、差込突起５２を引っ掛けるための袋状の係止部５３を複数個設けてもよい。この場合には、フロントカバー２３の差込突起５２を浴室暖房乾燥機本体２２の係止部５３に引っ掛けることにより、フロントカバー２３を仮保持させることができる。
【００６３】
また、図２４及び図２５はフロントカバー２３を浴室暖房乾燥機本体２２に仮保持させるための別な構造を説明している。この構造では、フロントカバー２３の通孔６０に通したビス５９の根元をワッシャやＣリング等の止め具８６で抜け止めしている。従って、ビス５９は自由に回転できるが、フロントカバー２３から抜けて脱落することはない。一方、ビス固定部６１にあっては、上方で広くなったテーパー状の孔８７が設けられており、テーバー状をした孔８７の内部には、外周面が孔８７と同じ傾きで傾斜し、内周面がビス５９と噛み合うネジ８８となった３つのピース８９が納められている。すなわち、３つのピース８９は、外周面がテーパー状をしたナットを３つに分割したような構造となっている。さらに、テーパー状の孔８７の上部に設けられた内鍔９０と３つのピース８９の上面との間にはスプリング９１が挿入されており、各ピース８９はスプリング９１によって下方へ付勢されている。
【００６４】
しかして、フロントカバー２３を浴室暖房乾燥機本体２２の下面に合わせて上方へ押すと、ビス５９がビス固定部６１の中に入り込んでピース８９を押し上げる。ピース８９が上に押されると、テーパー状の孔８７の中でピース８９同士が広がるので、ビス５９がピース８９間に入り込んでネジ８８と噛み合う。ついで、フロントカバー２３を離すと、スプリング９１に押されてビス５９と共にピース８９も下がり、テーパー状の孔８７によってピース８９が締め付けられるのでビス５９が抜けなくなる。すなわち、フロントカバー２３が仮保持されて脱落しなくなる。この状態で、各ビス５９を順次堅く締め付けると、フロントカバー２３は浴室暖房乾燥機本体２２にしっかりと固定される。よって、このような構造によっても、フロントカバー２３を一人で、安全かつ容易に取り付けることができるようになる。
【００６５】
また、上記実施形態では、リモコン受信器４６を送風路摺動部２９の鍔部４５に設けて送風路摺動部２９と共に位置決めされるようにしていたが、図２６のようにリモコン受信器４６を送風路摺動部２９とは別個にしてケーシング２４に設けても良い。すなわち、この実施形態では、フロントカバー２３のリモコン受信器露出窓４８と対向する位置において、ケーシング２４の天面から２本のガイド軸９２を降ろし、ガイド軸９２に通した圧縮バネ９３の下からリモコン受信器４６に設けたガイド用ボス９４を通し、ガイド軸９２の下端に抜け止め用のワッシャ９５を嵌めたものである。この実施形態では、浴室暖房乾燥機本体２２の下面にフロントカバー２３を取り付けると、圧縮バネ９３の弾性力でリモコン受信器４６がリモコン受信器露出窓４８に押しつけられ、施工方式や天井パネルの厚みの違いにかかわりなくリモコン受信器４６をぴったりとリモコン受信器露出窓４８に納めることができ、外観が良好となる。
【００６６】
（第５の実施形態）
図２７は本発明のさらに別な実施形態による浴室暖房乾燥機１０１を示す一部省略した断面図（換気装置の部分を省略している。）である。この浴室暖房乾燥機１０１においては、送風路摺動部２９の吸い込み口４９側の下部内側面に形成された窪み１０２内においてルーバー板４２の端部を回動自在に枢支している。このルーバー板４２の幅と、送風路摺動部２９の内部の幅とはほぼ等しくなっている。
【００６７】
このルーバー板４２は、運転停止時には、ルーバーモータ４４によって水平姿勢となるように回転させられ、図２８に示すように送風路３０の内部を閉じる。このように運転停止時には、送風路３０の内部が水平になったルーバー板４２によって閉じられているので、運転停止時には見上げても吹き出し口４７の奥が見えず、運転停止時における浴室暖房乾燥機１０１の意匠性が良好となる。さらに、清掃時、送風路３０の内部に水などが入るのを防止でき、浴室温水暖房装置１０１を保護できる。
【００６８】
また、暖房運転時には、ルーバー板４２が開かれ、図２７のようにルーバーモータ４４により真下方向と斜め４５度の角度との間で角度を調整され、送風方向を調整できるようになっている。特に、斜め方向に吹き出した場合には、温風は洗い場側に向けて吹き出すようになっている。一方、ルーバー板４２は、吸い込み口４９側で軸支されているので、吸い込み口４９側に向けて温風が吹き出されることがなく、温風経路の短絡を防止することができる。
【００６９】
また、洗濯物の乾燥を行う場合には、図２９に示すようにルーバー板４２を真下に向けると、ルーバー板４２は送風路摺動部２９の窪み１０２内に収納される。よって、真下の吹き出し方向で、かつ最も風速が必要な衣類乾燥運転において、ルーバー板４２が送風路本体２８ないし送風路摺動部２９の陰に隠れることによって送風抵抗が小さくなり、衣類乾燥能力が高くなって、洗濯物の乾燥に要する時間を短くでき、かつランニングコストも低減される。
【００７０】
（第６の実施形態）
図３０は本発明のさらに別な実施形態による浴室暖房乾燥機本体２２の構造を示す断面図、図３１はその送風路摺動部２９の下面図である。この実施形態にあっては、送風路摺動部２９の内部に、その長手方向に沿って複数枚の縦ルーバー板１０３を配列されている。各縦ルーバー板１０３の両端は、送風路摺動部２９の両側面内面に固定されており、中央部の縦ルーバー板１０３はほぼ垂直となっており、両端の縦ルーバー板１０３ほど垂直方向となす角度が大きくなっている。すなわち、縦ルーバー板１０３間は下方で拡がっている。
【００７１】
したがって、この送風路摺動部２９を通って吹き出し口４７から吹き出される温風は、縦ルーバー板１０３によって送風路摺動部２９の長手方向両側に広げられる。縦ルーバー板１０３がフロントカバー２３よりも奥の方にあると、吹き出し口４７から吹き出される温風は拡がりにくくなるが、このような構造の縦ルーバー板１０３を設けることによって温風を拡げることができ、浴室暖房乾燥機の下方ばかりでなく、その横方向にも温風を広げて送ることができ、洗濯物を乾燥させる場合には乾燥むらを小さくできる。
【００７２】
（第７の実施形態）
図３２は本発明のさらに別な実施形態による浴室暖房乾燥機本体２２の構造を示す断面図（換気装置は省略している。）、図３３はその送風路摺動部２９の下面図である。この実施形態にあっては、送風路摺動部２９の内部に、その長手方向に沿って複数枚の縦ルーバー板１０３を配列されており、各縦ルーバー板１０３は送風路摺動部２９に回動自在に取り付けられている。
【００７３】
図３４は各縦ルーバー板１０３を送風路摺動部２９に回動自在に取り付けるための構造を示す図であって、縦ルーバー板１０３の両端に設けられた軸１０４を送風路摺動部２９に側壁面に開口された通孔１０５に圧入している。
【００７４】
しかして、この実施形態にあっては、各縦ルーバー板１０３の角度を任意に調整することができるので、各縦ルーバー板１０３の角度を調整することにより、温風が吹き出し口４７の真下にだけ吹き出されるようにもでき、温風が広い範囲に広がって吹き出されるようにもできる。
【００７５】
（第８の実施形態）
図３５は本発明のさらに別な実施形態による浴室暖房乾燥機１０６の構造を示す断面図、図３６はその送風路摺動部２９の断面図である。この浴室暖房乾燥機１０６にあっては、ルーバー板（主ルーバー板）４２が送風路摺動部２９内で回動自在に軸支され、ルーバーモータ４４によって駆動されるようになっており、ルーバー板４２の表面には複数枚の縦ルーバー板（副ルーバー板）１０３が固定されている。各縦ルーバー板１０３の間隔は温風吹き出し側で広がっている。
【００７６】
したがって、この浴室暖房乾燥機にあっては、ルーバー板４２を回動させることによって温風の吹き出し方向を吹き出し口４７の真下と洗い場側との間で変化させることができ、また縦ルーバー板１０３によって横方向に拡げられ、洗濯物の乾燥時には場所による乾燥むらを小さくできる。
【００７７】
（第９の実施形態）
図３７は本発明のさらに別な実施形態による浴室暖房乾燥機１０７の構造を示す断面図、図３８はその送風路摺動部２９の断面図、図３９は縦ルーバー板１０３を取り付けられたルーバー板４２の一部破断した斜視図、図４０は縦ルーバー板１０３の側面図である。
【００７８】
この実施形態にあっても、ルーバー板４２の表面に複数枚の縦ルーバー板１０３を取り付けているが、各縦ルーバー板１０３は方向を調整できるようになっている。すなわち、図４０に示すように縦ルーバー板１０３の下縁には割ピン状をした２本の軸１０８、１０９が設けられており、突出した側の軸１０８をルーバー板４２の通孔に挿入することによってルーバー板４２に回動自在に立てられている。さらに、ルーバー板４２に立てられた縦ルーバー板１０３の他方の軸１０９は複数枚ずつ組にして連結板１１０の通孔に回動自在に挿入されている。したがって、連結板１１０によって結合された複数枚の縦ルーバー板１０３は連動して同じ方向を向くようになっている。
【００７９】
しかして、この浴室暖房乾燥機１０７にあっては、所望により、ルーバー板４２をルーバーモータ４４で駆動して角度を調整することにより、温風を吹き出し口４７から真下へ吹き出したり、洗い場側へ斜めに吹き出したりすることができ、さらに縦ルーバー板１０３の角度を手で調整することにより、温風を横方向へ広げて吹き出させたり、真ん中に集めて吹き出させたりすることができる。
【００８０】
（第１０の実施形態）
図４１は本発明のさらに別な実施形態による浴室暖房乾燥機１１１の構造を示す断面図である。これまでの実施形態では、送風路３０の長さを調整するようにしていたが、この実施形態では、浴室暖房乾燥機本体２２の送風路３０とフロントカバー２３の吹き出し口４７とをスライド自在に嵌め合わせている。
【００８１】
このように送風路３０とフロントカバー２３の吹き出し口４７を伸縮自在に接続しても、施工方法や天井パネルの板厚の違いがあっても送風路３０と吹き出し口４７との隙間を防止することができる。
【００８２】
なお、図示しないが、上記実施形態以外にも、フロントカバー２３の吹き出し口４７を伸縮自在にしたものや、浴室暖房乾燥機本体２２の送風路３０とフロントカバー２３の吹き出し口４７とを中継部材を介して伸縮自在に接続しても考えることができる。
【００８３】
【発明の効果】
本発明によれば、浴室暖房乾燥機本体の施工方法の違いや天井パネルの板厚の違いなどがあっても浴室暖房乾燥機の送風路とカバーの吹き出し口の間に隙間が生じるのを防止することができる。よって、浴室暖房乾燥機の送風路とカバーの吹き出し口との間の隙間から温風が吸い込み側などへ漏れて温風経路の短絡が起きることがなく、浴室暖房乾燥機の効率を高めることができる。また、弾性体の弾性力によって吹き出し口と送風路とが接触させられるので、送風路や吹き出し口の長さを調整する必要がなく、施工を簡単に行える。
【図面の簡単な説明】
【図１】浴室の天井に本体先付け方式で施工された従来の浴室暖房乾燥機本体のようすを示す側面図である。
【図２】同上の浴室暖房乾燥機本体の断面図である。
【図３】浴室の天井に本体後付け方式で施工された従来の浴室暖房乾燥機本体のようすを示す側面図である。
【図４】同上の浴室暖房乾燥機本体の断面図である。
【図５】本発明の一実施形態による浴室暖房乾燥機の断面図である。
【図６】同上の浴室暖房乾燥機における浴室暖房乾燥機本体の下面図である。
【図７】同上の浴室暖房乾燥機におけるフロントカバーの下面図である。
【図８】同上の浴室暖房乾燥機における送風路の構造を示す分解斜視図である。
【図９】同上の送風路の断面図である。
【図１０】ルーバー板を駆動するためのルーバーモータの取り付け構造を示す図である。
【図１１】ルーバー板の動作角度を規制するストッパを示す図である。
【図１２】フロントカバーを送風路可動部に仮保持させるための構造を示す斜視図である。
【図１３】同上の浴室暖房乾燥機を本体先付け施工した状態を示す断面図である。
【図１４】同上の浴室暖房乾燥機を本体後付施工した状態を示す断面図である。
【図１５】フロントカバーを送風路可動部に仮保持させるための別な構造を示す斜視図である。
【図１６】図６のＡ−Ａ線断面図である。
【図１７】本発明の別な実施形態による送風路の長さ調整機構を示す断面図である。
【図１８】本発明のさらに別な実施形態による送風路の構造を示す断面図である。
【図１９】図１８のＢ部拡大図である。
【図２０】本発明のさらに別な実施形態による浴室暖房乾燥機の概略断面図である。
【図２１】（ａ）（ｂ）は同上の浴室暖房乾燥機における送風路の長さ調整機構を示す正面図及び一部破断した側面図である。
【図２２】同上の浴室暖房乾燥機の施工方法を説明する概略図である。
【図２３】フロントカバーを仮保持させるための別な構造を示す斜視図である。
【図２４】フロントカバーを仮保持させるためのさらに別な構造を示す一部破断した正面図である。
【図２５】同上のビス固定部の構造を示す一部破断した拡大図である。
【図２６】リモコン受信器の、浴室暖房乾燥機本体への取り付け方の他例を示す断面図である。
【図２７】本発明の別な実施形態による浴室暖房乾燥機の概略断面図である。
【図２８】同上の浴室暖房乾燥機においてルーバー板で送風路内部を閉じた状態を示す断面図である。
【図２９】同上の浴室暖房乾燥機においてルーバー板を送風路摺動部の窪みに収納した状態を示す断面図である。
【図３０】本発明のさらに別な実施形態による浴室暖房乾燥機本体の構造を示す断面図である。
【図３１】同上の浴室暖房乾燥機に用いられている送風路摺動部の下面図である。
【図３２】本発明のさらに別な実施形態による浴室暖房乾燥機本体の構造を示す断面図である。
【図３３】（ａ）（ｂ）は同上の浴室暖房乾燥機に用いられている送風路摺動部の側面図及び下面図である。
【図３４】同上の送風路摺動部におけるルーバー板の軸支部分を示す一部破断した図である。
【図３５】本発明のさらに別な実施形態による浴室暖房乾燥機の構造を示す断面図である。
【図３６】同上の浴室暖房乾燥機に用いられている送風路摺動部の断面図である。
【図３７】本発明のさらに別な実施形態による浴室暖房乾燥機の構造を示す断面図である。
【図３８】同上の浴室暖房乾燥機に用いられている送風路摺動部の断面図である。
【図３９】同上の送風路摺動部に用いられている、縦ルーバー板を取り付けられたルーバー板の一部破断した斜視図である。
【図４０】同上の縦ルーバー板の側面図である。
【図４１】本発明のさらに別な実施形態による浴室暖房乾燥機の構造を示す断面図である。
【符号の説明】
２２      浴室暖房乾燥機本体
２３      フロントカバー
２８      送風路本体
２９      送風路摺動部
３０      送風路
３１      送風機
３５      換気装置
４２      ルーバー板
４４      ルーバーモータ
４６      リモコン受信器
４７      吹き出し口
４８      リモコン受信器露出窓
５２      差込突起
５３      係止部
５０      換気用吸気口
６８      盲穴
１０２      窪み
１０３      縦ルーバー板
【図１】
0003678101.tif 000002
【図２】
0003678101.tif 000003
【図３】
0003678101.tif 000004
【図４】
0003678101.tif 000005
【図５】
0003678101.tif 000006
【図６】
0003678101.tif 000007
【図７】
0003678101.tif 000008
【図８】
0003678101.tif 000009
【図９】
0003678101.tif 000010
【図１０】
0003678101.tif 000011
【図１１】
0003678101.tif 000012
【図１２】
0003678101.tif 000013
【図１３】
0003678101.tif 000014
【図１４】
0003678101.tif 000015
【図１５】
0003678101.tif 000016
【図１６】
0003678101.tif 000017
【図１７】
0003678101.tif 000018
【図１８】
0003678101.tif 000019
【図１９】
0003678101.tif 000020
【図２０】
0003678101.tif 000021
【図２１】
0003678101.tif 000022
【図２２】
0003678101.tif 000023
【図２３】
0003678101.tif 000024
【図２４】
0003678101.tif 000025
【図２５】
0003678101.tif 000026
【図２６】
0003678101.tif 000027
【図２７】
0003678101.tif 000028
【図２８】
0003678101.tif 000029
【図２９】
0003678101.tif 000030
【図３０】
0003678101.tif 000031
【図３１】
0003678101.tif 000032
【図３２】
0003678101.tif 000033
【図３３】
0003678101.tif 000034
【図３４】
0003678101.tif 000035
【図３５】
0003678101.tif 000036
【図３６】
0003678101.tif 000037
【図３７】
0003678101.tif 000038
【図３８】
0003678101.tif 000039
【図３９】
0003678101.tif 000040
【図４０】
0003678101.tif 000041
【図４１】
0003678101.tif 000042